(57)【特許請求の範囲】
【請求項１】
洗濯機、乾燥機等の複数のランドリー機器と、それら複数のランドリー機器と通信手段で接続された店舗コントローラとを有するランドリー設備、および、ランドリー設備と通信可能なランドリー設備を管理するためのランドリー管理サーバを含むランドリーシステムであって、
上記ランドリー設備は、ランドリー管理サーバからの動作許可信号を受信することにより動作可能状態となり、当該動作可能状態になったランドリー設備が運転操作されることに応答して、運転情報を上記ランドリー管理サーバへ通信するものであり、
上記ランドリー管理サーバは、
顧客の所有する携帯情報端末からの顧客識別情報および使用したいランドリー設備を特定する特定情報を受信したとき、顧客識別情報が正しいことを確認して、特定情報により特定されたランドリー設備に動作許可信号を送信する手段と、  ランドリー設備からの運転情報を受信し、顧客識別情報および運転情報に基づいて顧客に対する請求書情報を作成する手段とを含むことを特徴とするランドリーシステム。
【請求項２】
請求項１記載のランドリーシステムにおいて、
上記請求書情報を作成する手段は、顧客の運転情報に基づく請求額を所定期間記憶し、その所定期間の請求額の集計に基づいて請求書情報を作成することを特徴とするランドリーシステム。
【請求項３】
請求項１または２記載のランドリーシステムにおいて、
さらに、ランドリー管理サーバと通信可能な通信業者サーバを有し、
通信業者サーバは、
顧客情報を記憶する顧客ファイルと、
携帯情報端末が情報送信をするごとに、その送信に要した通信料を顧客ファイルに記憶する手段と、
ランドリー管理サーバから送信されてくる請求書情報を受信して、それをランドリー設備利用料として顧客ファイルに記憶する手段と、
顧客に対して通信料およびランドリー設備利用料を合わせた請求書を発行する手段と、
を有することを特徴とするランドリーシステム。
【請求項４】
請求項３記載のランドリーシステムにおいて、
ランドリー管理サーバと通信業者サーバとは同じサーバで兼用されていることを特徴とするランドリーシステム。
【請求項５】
請求項３または４記載のランドリーシステムにおいて、
さらに、通信業者サーバと通信可能な通信業者契約銀行メインフレームを有し、
通信業者契約銀行メインフレームは、
通信業者サーバの顧客ファイルをアクセスし、顧客の銀行口座から通信料およびランドリー設備利用料を集金する手段と、
集金した通信料は通信業者契約銀行口座に入金し、ランドリー設備利用料はランドリー設備のオーナの銀行口座に入金する手段と、
を有することを特徴とするランドリーシステム。
【請求項６】
携帯情報端末を用いてランドリー設備を利用する方法であって、
携帯情報端末から顧客識別情報および使用したいランドリー設備を特定する特定情報を送信し、
ランドリー管理サーバは、上記携帯情報端末からの送信情報を受信し顧客識別情報が正しいことを確認すると、特定情報により特定されたランドリー設備に動作許可信号を送信し、
上記動作許可信号を受信したランドリー設備は動作可能状態となり、当該動作可能状態になったランドリー設備が運転操作されることに応答して、運転情報をランドリー管理サーバへ送信し、
上記運転情報を受信したランドリー管理サーバは、顧客別識別情報および運転情報に基づいて顧客に対する請求書情報を作成することを特徴とする方法。
【請求項７】
ランドリー設備を管理するランドリー管理サーバであって、
顧客との間で予め決めた顧客識別情報が少なくとも記憶された顧客ファイルと、
ランドリー設備および顧客の所有する携帯情報端末と通信可能であり、顧客の上記携帯情報端末からの顧客識別情報および顧客が使用を希望するランドリー設備を特定する情報を受信することに応答して、ランドリー設備特定情報により特定されるランドリー設備へ動作許可信号を送信する手段と、
ランドリー設備が操作されて運転されたときにランドリー設備から送信されてくる運転情報を受信する手段と、
受信した運転情報を顧客別に集計して顧客ファイルに記憶し、所定期間ごとに顧客のランドリー設備利用料金として出力する手段と、
を有することを特徴とするランドリー管理サーバ。
【請求項８】
顧客との間で予め決めた顧客識別情報が記憶された顧客ファイルを有するランドリー管理サーバのための制御プログラムであって、
顧客識別情報を受信したとき、受信した顧客識別情報を顧客ファイルに記憶された顧客識別情報と照合して顧客識別情報の正否を確認し、
顧客識別情報が正しいことが確認されたとき、その顧客識別報に関連して受信した顧客が使用を希望するランドリー設備を特定する情報により特定されるランドリー設備へ動作許可信号を送信し、
ランドリー設備が操作されて運転されたときにランドリー設備から送信されてくる運転情報を受信し、
受信した運転情報を顧客識別情報と関連づけて顧客ファイルに記憶し、
所定期間ごとに顧客ファイルに記憶された運転情報を集計して顧客のランドリー設備利用料金を算出するプログラムが記憶されたことを特徴とする記憶媒体。
【請求項９】
洗濯機、乾燥機等の複数のランドリー機器と、それら複数のランドリー機器と通信手段で接続された店舗コントローラとを有するランドリー設備であって、
上記複数のランドリー機器には、それぞれ、機器を特定するための識別情報が与えられており、かつ、
動作可能状態報知器と、
操作部と、
報知器が動作可能状態を報知しているときに、操作部が操作されて操作信号が入力されることにより運転を行わせ、そのときの運転情報を通信手段を経由して店舗コントローラへ出力する制御手段とを有し、
上記店舗コントローラは、
外部通信手段と、
外部通信手段が機器の識別情報および動作許可信号を受信すると、
受信した識別情報により特定されるランドリー機器を動作可能状態にする手段と、
ランドリー機器から入力された運転情報を外部通信手段により送信する手段とを含むことを特徴とするランドリー設備。
【請求項１０】
ランドリー機器であって、
機器を特定するための識別情報が決められており、
所定の小電力近距離無線の送受信手段と、
携帯情報端末からの識別情報を送受信手段が受信したことに応答して、機器の運転可否を判断する第１の判断手段と、
第１の判断手段が運転可能と判断したことに応答して、運転可能状態を報知し、送受信手段により運転可能レスポンスを送信する手段と、
運転可能レスポンスの送信に応答して送受信手段が運転情報を受信したとき、その運転情報の運転の可否を判断する第２の判断手段と、
第２の判断手段が運転可能と判断したことに応答して、機器の運転を開始し、運転情報を送受信手段から送信する手段と、
を含むことを特徴とするランドリー機器。
【発明の詳細な説明】
【０００１】
【発明の属する技術分野】
この発明はランドリーシステムに関し、特に、携帯電話、ＰＨＳ等の無線通信機能を有する携帯情報端末を利用したランドリーシステムに関する。
【０００２】
【従来の技術】
コインランドリーが普及しており、手軽に洗濯をできる施設として多くの人に利用されている。コインランドリーは一般に無人営業の形態がとられていて、２４時間いつでもいわゆるセルフサービスで洗濯を行うことができる。
コインランドリーはその名前からも明らかなように、コイン（たとえば１００円硬貨または５００円硬貨等）を投入することにより洗濯機や乾燥機が動作可能になる。このため、洗濯機や乾燥機１台毎にコインを投入するための管理ユニットが取り付けられ、または組み込まれている。
【０００３】
【発明が解決しようとする課題】
コインランドリーは、２４時間の無人営業であるために誰でも気兼ねなく利用できるという利便性がある反面、夜間や早朝等の利用者の少ない時間帯に、管理ユニットに溜まった硬貨が強奪されるという被害が発生することがある。かかる場合、管理ユニットのみが破壊されてその中の硬貨が奪われるだけでなく、洗濯機本体や乾燥機本体も一緒に破壊されていることが多く、多額の設備被害を被っているのが現状である。
【０００４】
ところで、コインランドリーの設備が破壊されて、硬貨が強奪されるのは、コインランドリーの設備（管理ユニット）に硬貨が溜まっているからであり、もし硬貨や紙幣がコインランドリーの設備内に存在しないのであれば、硬貨が強奪されることもないし、設備が破壊されることもないと考えられる。
この発明は、このような背景のもとになされたもので、硬貨や紙幣を使用せずに利用可能なコインランドリー（コインを用いないから厳密には「コインランドリー」とは呼べないので、以下では単に「ランドリー」と称することにする。）を提供することを目的とする。
【０００５】
この発明は、もちろん、無料のランドリーを提供するわけではなく、従来のコインを用いた支払いに代え、携帯電話、ＰＨＳ等の携帯情報端末を用いていわゆるキャッシュレス使用のできるランドリーシステムを提供することを目的とする。
またこの発明は、携帯情報端末を用いて支払いのできるランドリーシステムのための動作プログラム、かかるランドリーシステムの使用方法、かかるランドリーシステムにおける料金精算方法等を提供することを目的とする。
【０００６】
【課題を解決するための手段および発明の効果】
請求項１記載の発明は、洗濯機、乾燥機等の複数のランドリー機器と、それら複数のランドリー機器と通信手段で接続された店舗コントローラとを有するランドリー設備、および、ランドリー設備と通信可能なランドリー設備を管理するためのランドリー管理サーバを含むランドリーシステムであって、上記ランドリー設備は、ランドリー管理サーバからの動作許可信号を受信することにより動作可能状態となり、当該動作可能状態になったランドリー設備が運転操作されることに応答して、運転情報を上記ランドリー管理サーバへ通信するものであり、上記ランドリー管理サーバは、顧客の所有する携帯情報端末からの顧客識別情報および使用したいランドリー設備を特定する特定情報を受信したとき、顧客識別情報が正しいことを確認して、特定情報により特定されたランドリー設備に動作許可信号を送信する手段と、ランドリー設備からの運転情報を受信し、顧客識別情報および運転情報に基づいて顧客に対する請求書情報を作成する手段とを含むことを特徴とするランドリーシステムである。
【０００７】
請求項２記載の発明は、請求項１記載のランドリーシステムにおいて、上記請求書情報を作成する手段は、顧客の運転情報に基づく請求額を所定期間記憶し、その所定期間の請求額の集計に基づいて請求書情報を作成することを特徴とするランドリーシステムである。
請求項３記載の発明は、請求項１または２記載のランドリーシステムにおいて、さらに、ランドリー管理サーバと通信可能な通信業者サーバを有し、通信業者サーバは、顧客情報を記憶する顧客ファイルと、携帯情報端末が情報送信をするごとに、その送信に要した通信料を顧客ファイルに記憶する手段と、ランドリー管理サーバから送信されてくる請求書情報を受信して、それをランドリー設備利用料として顧客ファイルに記憶する手段と、顧客に対して通信料およびランドリー設備利用料を合わせた請求書を発行する手段と、を有することを特徴とするランドリーシステムである。
【０００８】
請求項４記載の発明は、請求項３記載のランドリーシステムにおいて、ランドリー管理サーバと通信業者サーバとは同じサーバで兼用されていることを特徴とするランドリーシステムである。
請求項５記載の発明は、請求項３または４記載のランドリーシステムにおいて、さらに、通信業者サーバと通信可能な通信業者契約銀行メインフレームを有し、通信業者契約銀行メインフレームは、通信業者サーバの顧客ファイルをアクセスし、顧客の銀行口座から通信料およびランドリー設備利用料を集金する手段と、集金した通信料は通信業者契約銀行口座に入金し、ランドリー設備利用料はランドリー設備のオーナの銀行口座に入金する手段と、を有することを特徴とするランドリーシステムである。
【０００９】
請求項６記載の発明は、携帯情報端末を用いてランドリー設備を利用する方法であって、携帯情報端末から顧客識別情報および使用したいランドリー設備を特定する特定情報を送信し、ランドリー管理サーバは、上記携帯情報端末からの送信情報を受信し顧客識別情報が正しいことを確認すると、特定情報により特定されたランドリー設備に動作許可信号を送信し、上記動作許可信号を受信したランドリー設備は動作可能状態となり、当該動作可能状態になったランドリー設備が運転操作されることに応答して、運転情報をランドリー管理サーバへ送信し、上記運転情報を受信したランドリー管理サーバは、顧客別識別情報および運転情報に基づいて顧客に対する請求書情報を作成することを特徴とする方法である。
【００１０】
請求項７記載の発明は、ランドリー設備を管理するランドリー管理サーバであって、顧客との間で予め決めた顧客識別情報が少なくとも記憶された顧客ファイルと、ランドリー設備および顧客の所有する携帯情報端末と通信可能であり、顧客の上記携帯情報端末からの顧客識別情報および顧客が使用を希望するランドリー設備を特定する情報を受信することに応答して、ランドリー設備特定情報により特定されるランドリー設備へ動作許可信号を送信する手段と、ランドリー設備が操作されて運転されたときにランドリー設備から送信されてくる運転情報を受信する手段と、受信した運転情報を顧客別に集計して顧客ファイルに記憶し、所定期間ごとに顧客のランドリー設備利用料金として出力する手段と、を有することを特徴とするランドリー管理サーバである。
【００１１】
請求項８記載の発明は、顧客との間で予め決めた顧客識別情報が記憶された顧客ファイルを有するランドリー管理サーバのための制御プログラムであって、顧客識別情報を受信したとき、受信した顧客識別情報を顧客ファイルに記憶された顧客識別情報と照合して顧客識別情報の正否を確認し、顧客識別情報が正しいことが確認されたとき、その顧客識別報に関連して受信した顧客が使用を希望するランドリー設備を特定する情報により特定されるランドリー設備へ動作許可信号を送信し、ランドリー設備が操作されて運転されたときにランドリー設備から送信されてくる運転情報を受信し、受信した運転情報を顧客識別情報と関連づけて顧客ファイルに記憶し、所定期間ごとに顧客ファイルに記憶された運転情報を集計して顧客のランドリー設備利用料金を算出するプログラムが記憶されたことを特徴とする記憶媒体である。
【００１２】
請求項９記載の発明は、洗濯機、乾燥機等の複数のランドリー機器と、それら複数のランドリー機器と通信手段で接続された店舗コントローラとを有するランドリー設備であって、上記複数のランドリー機器には、それぞれ、機器を特定するための識別情報が与えられており、かつ、動作可能状態報知器と、操作部と、報知器が動作可能状態を報知しているときに、操作部が操作されて操作信号が入力されることにより運転を行わせ、そのときの運転情報を通信手段を経由して店舗コントローラへ出力する制御手段とを有し、上記店舗コントローラは、外部通信手段と、外部通信手段が機器の識別情報および動作許可信号を受信すると、受信した識別情報により特定されるランドリー機器を動作可能状態にする手段と、ランドリー機器から入力された運転情報を外部通信手段により送信する手段とを含むことを特徴とするランドリー設備である。
【００１３】
請求項１０記載の発明は、ランドリー機器であって、機器を特定するための識別情報が決められており、所定の小電力近距離無線の送受信手段と、携帯情報端末からの識別情報を送受信手段が受信したことに応答して、機器の運転可否を判断する第１の判断手段と、第１の判断手段が運転可能と判断したことに応答して、運転可能状態を報知し、送受信手段により運転可能レスポンスを送信する手段と、運転可能レスポンスの送信に応答して送受信手段が運転情報を受信したとき、その運転情報の運転の可否を判断する第２の判断手段と、第２の判断手段が運転可能と判断したことに応答して、機器の運転を開始し、運転情報を送受信手段から送信する手段と、を含むことを特徴とするランドリー機器である。
【００１６】
この発明によれば、従来のコインを用いた支払いに代え、携帯情報端末を用いていわゆるキャッシュレス使用のできるランドリーシステムを提供することができる。特に、請求項１〜６の発明では、顧客は携帯電話等の携帯情報端末によって所望のランドリー設備、たとえば洗濯機や乾燥機を利用することができ、しかもその利用料は、携帯情報端末の通信料と一緒に請求され、しかもその請求内訳も確認できるから、ランドリー設備を利用した場合の料金精算が便利である。しかも銀行口座からの引き落としを利用すれば、より便利にランドリー設備を利用することができる。
【００１７】
また、請求項７および８の発明によれば、複数のランドリー設備を管理するためのランドリー管理サーバまたはその管理制御プログラムを提供することができる。
請求項９および１０の発明によれば、このランドリーシステムに好適に利用できるランドリー設備やランドリー機器を提供することができる。
【００１８】
【発明の実施の形態】
以下には、図面を参照して、この発明の具体的な実施形態について説明をする。
図１および図２は、この発明の一実施形態にかかるランドリーシステムの全体構成を示すブロック図である。この実施形態にかかるランドリーシステムでは、街中等で営業するランドリー（店舗）１には複数のランドリー機器（洗濯機や乾燥機）と、これらが接続されたＤＴＣ（店舗コントローラ）とが備えられている。ＤＴＣは通信業者回線制御装置２との通信を行うためのコントローラである。
【００１９】
ランドリーシステムは、通信業者回線制御装置２を利用してテクノセンタ３との通信を行う。テクノセンタ３はこのランドリーシステムを提供する会社のたとえば営業センタである。テクノセンタ３にはランドリー管理サーバが備えられており、ランドリー管理サーバには店舗別マスタファイルおよび顧客別マスタファイルが保管されている。ランドリー１を利用するユーザは、携帯電話１０（以下、この実施形態ではＰＨＳを含む通信用端末の代表例として「携帯電話」と称するが、携帯電話、ＰＨＳ、ポケベルその他の無線通信機能を備えた携帯情報端末を利用できる。）を用い、通信業者回線制御装置２を介してテクノセンタ３へサービス要求をし、テクノセンタ３からのサービス情報を入手したり、ランドリー１に備えられた所望のランドリー機器を使用できる。
【００２０】
ランドリーシステムでは、さらに通信業者サーバ４を利用し、ランドリーシステムを利用した顧客に対して顧客別請求書が発行される。通信業者サーバ４には顧客別マスタファイルが保管されており、顧客別の通信料および機器利用料金が記憶される。よって、請求内容には通信料およびランドリー機器利用料金が含まれる。
通信業者と契約している銀行メインフレーム（コンピュータシステム）５では、各顧客の有する銀行口座から請求書記載の料金を集金し、通信料は通信業者の契約する銀行口座に支払うとともに、ランドリー１のオーナに対しては機器利用料金を入金する。
【００２１】
具体的には、通信業者の契約する銀行メインフレーム５は、通信業者サーバ４の保管する顧客別マスタファイルをアクセスして、または銀行メインフレーム５自身が顧客別マスタファイルを有していて、顧客別の通信料および機器利用料金を検出し、通信料は通信業者の契約する銀行口座へ、機器利用料金はランドリーのオーナの銀行口座へ入金する。
この実施形態のランドリーシステムでは、ＤＴＣ、通信業者回線制御装置２、テクノセンタ（サーバ）３、通信業者サーバ４、銀行メインフレーム５はインターネット等の通信回線で相互接続されている。
【００２２】
以上がこの実施形態に係るランドリーシステムの全体構成および動作概要である。以下に、各構成および動作につき詳細に説明をする。
図３は、携帯情報端末の一例である携帯電話１０の正面図である。携帯電話１０には、ディスプレイ１１、メニューキー１２、決定キー１３、カーソルキー１４、数値キー１５が備えられている。
ディスプレイ１１の表示が図３に示す基本画面のときに、メニューキー１２が操作されると、ディスプレイ１１の表示は図４に示すモバイルメニュー画面になる。この画面で、カーソルキー１４によって「５．ランドリー」が選択され、決定キー１３が操作されると図５の画面になる。なお、図４の画面で「７．メニューの終了」が選択されて決定キー１３が押されると基本画面（図３）へ戻る。
【００２３】
図５はランドリーのモバイルメニュー画面であり、この画面では顧客にパスワードを入力する旨指示される。
顧客は予めテクノセンタ３（図１参照）との間でこのランドリーシステムの使用契約を結ぶ必要があり、使用契約を結んだ顧客にはパスワードが与えられている。
図５に示すランドリーのモバイルメニューが表示されているときに、顧客のパスワードが正しく入力され、決定キー１３が押されると、画面は図６に進む。図６の画面では、「１．ランドリーの利用」または「２．その他の情報サービス」が選択できる。カーソルキー１４により「１．ランドリーの利用」が選択され、決定キー１３が押されると図７の画面に進む。
【００２４】
なお、図６の画面における「２．その他の情報サービス」とは、たとえば新規開店したランドリーのお知らせ、ランドリー利用に関する割引時間帯のお知らせ、推薦する洗剤の種類や洗濯の裏ワザのお知らせ等、洗濯に関する情報を中心とした各種の情報の提供等のサービスが例示できる。
図７のランドリーの利用画面では、ランドリーの店番号を入力する旨の指示がされる。このシステムに属する各ランドリーには、ランドリー（店舗）毎の識別番号である店番号が予め決められている。顧客はこの店番号を数値キー１５で入力することになる。図７に示す画面には、顧客の便宜を考え「店番号は予め連絡済ですがわからないときは機器の操作部の表示をご覧ください」等の注意表示を表示してもよい。
【００２５】
店番号が入力され、決定キー１３が押されると、画面は図８へと進み、利用するランドリー機器番号の入力画面となる。
ランドリーには店番号が与えられているとともに、設置されている各ランドリー機器には個別に番号が与えられている。そこで顧客は使用したいランドリー機器の番号を入力する。たとえば洗濯機を使用したいときに、その洗濯機番号である機器番号「１０」を数値キー１５により入力する。そして決定キー１３を押すと次画面へと進む。
【００２６】
なお、機器番号の入力画面においても、たとえば「機器番号は、機器の操作部の表示をご覧下さい。」等の説明文が、顧客の便宜のために表示されてもよい。図９の画面では、ランドリー機器の操作説明が表示される。この実施形態ではたとえば「機器操作部の運転可能ランプが点滅を始めたら衣類を投入後、機器のボタンを操作して運転を開始して下さい。ご利用ありがとうございました。」との表示がされる。
【００２７】
以上がランドリーにおいて、顧客が携帯電話１０により行う操作である。
図１０は、ランドリーに設置されている乾燥機の操作部２０の構成例を示す正面図である。乾燥機の操作部２０には、運転可能ランプ２１が備えられており、この乾燥機の運転が可能な状態になると、当該ランプ２１が点滅する。操作部２０には、また、表示部２２、運転キー２３、決定キー２４、中止キー２５、および数値キー２６が備えられている。
【００２８】
操作部２０の運転可能ランプ２１が点滅後、表示部２２には図１１に示す「表示１」〜「表示４」が順次表示され、この表示に従って顧客がキー操作を行う。すなわち、まずパスワードを入力すべき旨の表示がされる（表示１）。顧客は数値キー２６によりパスワードを入力し、決定キー２４を押す。このパスワードは、図５を参照して説明した顧客がテクノセンタと契約することにより予め定められているものであり、図５で説明したパスワードと同じものである。ランドリー機器を操作する際にも、かかるパスワードを要求することにより、不正使用の防止効果が高まる。
【００２９】
次いで乾燥時間の入力が指示される（表示２）。顧客は数値キー２６により乾燥時間として、たとえば「１２３」分を入力し、それを確認した後運転キー２３を押す。これにより乾燥機の運転が開始される。乾燥機運転中は乾燥残り時間が表示される（表示３）。もし顧客が乾燥運転をやめたい場合には中止キー２５を押せばよい。その場合は表示部２２に「乾燥機のモバイル運転を中止しました」との表示がなされ、運転動作が中止される。
【００３０】
図１２は、ランドリーに設置されている洗濯機の操作部３０の例を示す正面図である。洗濯機の操作部３０には、運転可能ランプ３１が備えられている。運転可能ランプ３１はこの洗濯機の動作が可能になったときに点滅する。操作部３０には、さらに、表示部３２、コース種類表示ランプ３３、カーソルキー３４、運転キー３５、決定キー３６、中止キー３７および数値キー３８が備えられている。
【００３１】
図１３は運転可能ランプ３１が点滅している場合の表示部３２の表示内容の変化を示す。表示部３２にはまずパスワードを入力すべき旨の表示がされる（表示１）。これに応じて顧客が数値キー３８でパスワードを入力し、決定キー３６を押すと、表示２に進む。表示２ではカーソルキー３４で洗濯コースを選択すべき旨が表示される。カーソルキー３４を押すと、コース種類表示ランプ３３の表示が順次移動し、所望の洗濯コースを選ぶことができる。洗濯コースを選んだ後、運転キー３５を押すことにより、洗濯運転が開始される。
【００３２】
洗濯運転中は洗濯残り時間が表示される（表示３）。また洗濯を中止したい場合には中止キー３７を押せば、表示部３２に「洗濯機のモバイル運転を中止しました。」との中止表示がされる（表示４）。
図１４は、ランドリーに備えられたランドリー機器の制御回路構成を示すブロック図およびＤＴＣ（店舗コントローラ）の制御回路構成を示すブロック図である。
【００３３】
ランドリーに備えられた各ランドリー機器（乾燥機および洗濯機）には、それぞれ、制御部（マイコン）４１およびメモリ４２が備えられており、制御部４１には図１０や図１２で説明した操作部２０（または３０）が接続されている。操作部２０（または３０）には、上述したように、運転可能ランプ２１（または３１）、表示部２２（または３２およびコース種類表示ランプ３３）、運転キー，決定キー，中止キー，カーソルキー等のキーマトリクス４０が備えられている。またランドリー機器の運転状態を検知するための各種のセンサ４３（または４４）の信号が制御部４１へ与えられる。制御部４１では操作部２０（または３０）からの信号および各種センサ４３（または４４）からの信号に基づき、負荷駆動回路４５（または４６）を動作させる。
【００３４】
制御部４１には、さらにデータ送受信用インターフェース４７が接続されていて、このインターフェース４７からＬＡＮ等の通信ライン４８を介してＤＴＣとの間で信号の送受信が行われる。
ＤＴＣにはランドリー機器データ送受信用インターフェース５１、このインターフェースに接続されたＤＴＣ制御部５２、メモリ５３、および外部通信回線（一般公衆回線等）とのデータ送受信用の回線制御／回線データ送受信用インターフェース（具体的にはモデム等である）５４が含まれている。
【００３５】
ＤＴＣは、外部通信回線および通信業者回線制御装置２（図１参照）を経由してテクノセンタ３との間での通信を行う。
次にこのランドリーシステムを構成する各システム毎の制御動作をフローチャートに基づいて説明をする。
図１５は、携帯電話１０の制御動作を示すフローチャートである。携帯電話１０では、まず、ディスプレイ１１に基本画面（図３の画面）を表示する（ステップＳ１）。基本画面表示状態で、メニューキー１２が押されると処理はステップＳ４に、メニューキー１２以外のキー入力があった場合には、他の処理（ステップＳ３）を実行する。メニューキー１２が押されると、ディスプレイ１１には図４の「モバイルメニュー」画面を表示し（ステップＳ４）、カーソルキー１４の入力後決定キー１３の入力があるか否かの判別をする（ステップＳ５）。ステップＳ５の判断が肯定されると、「５．ランドリー」が選択されたか否かを判別し（ステップＳ６）、この判別が否定された場合にはモバイルメニューに示されている各処理のうちの選択されたメニューの処理を実行する（ステップＳ７）。
【００３６】
ステップＳ６の判別が肯定されたときには図５の画面を表示し（ステップＳ８）、パスワード入力の案内をし、パスワードが入力されたか否かの判別をする（ステップＳ９）。
パスワードが入力されると携帯電話１０は通信業者回線制御装置２を介してテクノセンター３に接続し（ステップＳ１０）、テクノセンター３にパスワードと携帯電話１０の番号（顧客ＩＤ）をたとえばパケット通信によって送信する。これに応答して、パスワードと顧客ＩＤの対応が、顧客別マスタファイルに登録されたデータに基づいて確認される（ステップＳ１１）。その結果、パスワードが正しければ図６の画面を表示し（ステップＳ１３）、パスワードが誤りであれば図４の画面に戻る。
【００３７】
図６の画面を表示しているとき、カーソルキー１４の入力があり、決定キー１３の入力があったときには（ステップＳ１４で肯定）、「１．ランドリーの利用」が選択されたか否かの判別をする（ステップＳ１５）。もし「２．その他の情報サービス」が選択されたときには、それに応じた他の処理を行う（ステップＳ１６）。
ランドリーの利用が選択されたときには、図７の画面を表示し（ステップＳ１７）、ランドリーの店番号が入力されるのを待ち（ステップＳ１８）、店番号の入力に応じて図８の画面を表示する（ステップＳ１９）。そして機器番号が入力されるのを待ち（ステップＳ２０）、機器番号の入力に応答して画面を図９の画面に進める（ステップＳ２１）。そしてテクノセンター３に対してパスワード、携帯電話番号（顧客ＩＤ）、店番号および機器番号を、たとえばパケット通信によって送信する（ステップＳ２２）。
【００３８】
図１６および図１７は、テクノセンター３のランドリー管理サーバの制御動作を示すフローチャートである。テクノセンター３のサーバは、回線が接続されたか否かの判別をし（ステップＳ３１）、回線が接続された場合には携帯情報端末（この実施例では携帯電話１０）からの接続か否かの判別をする（ステップＳ３２）。
そして携帯電話１０からの接続の場合にはデータが受信されるのを待ち（ステップＳ３３）、受信されたデータがパスワードおよび電話番号であるか否かの判別をする（ステップＳ３４）。パスワードおよび電話番号以外のデータが受信された場合には、その受信データに基づく他の処理をする（ステップＳ３５）。
【００３９】
パスワードおよび電話番号が受信された場合には、電話番号（顧客ＩＤ）をインデックスとして顧客別マスタファイルを検索し、顧客ＩＤに対応して登録されているパスワードと受信されたパスワードとを比較する（ステップＳ３６）。その結果、両パスワードが一致したか否かの判別をする（ステップＳ３７）。パスワードが一致しなかった場合には、パスワード不一致情報を送信し（ステップＳ３８）、回線を切る（ステップＳ３９）。
【００４０】
記録されている登録済パスワードと受信されたパスワードとが一致した場合には、店番号および機器番号が受信されるのを待つ（ステップＳ４０）。そして店番号および機械番号を受信すると、一旦回線をしゃ断する（ステップＳ４１）。次いでランドリー管理サーバは、店番号（店舗ＩＤ）をインデックスとして、店舗別マスタファイルを検索し（店舗別マスタファイルには、店舗の電話番号、Ｅメールアドレスその他の通信情報が記憶されている。）、該当する店舗の電話番号を読み出す（ステップＳ４２）。そしてその電話番号により当該店舗と回線を接続する（ステップＳ４３）。回線が接続されるのを待ち（ステップＳ４４）、接続されると当該店舗に対してステップＳ４０で受信した機械番号およびステップＳ３７で一致を確認したパスワードを送信する（ステップＳ４５）。
【００４１】
その後店舗においては、顧客により選択されたランドリー機器の操作部が操作されるから、その操作に基づき店舗からデータが送られてくるのを待つ（ステップＳ４６）。店舗からのデータ受信を判別すると、受信したデータは中止レスポンスか否かの判別をする（ステップＳ４７）。中止レスポンスとは、中止キー２５（または３７）が押されたことにより発生するデータである。中止レスポンスを受信した場合には回線をしゃ断する（ステップＳ４８）。
【００４２】
店舗から受信したデータが中止レスポンスではなく、乾燥時間の場合には、その乾燥時間を乾燥機の運転料金に換算する（ステップＳ５０）。また受信したデータが洗濯時間の場合には、洗濯時間を洗濯機の運転料金に換算する（ステップＳ５１）。そして回線をしゃ断する（ステップＳ５２）。その後携帯電話番号（顧客ＩＤ）をインデックスとして、顧客マスタファイルにアクセスし、今回の運転料金を加算することにより、顧客マスタファイルの機器利用料金欄を更新する（ステップＳ５３）。
【００４３】
ステップＳ３２において、携帯電話からの接続でない場合には、通信業者サーバ４からの接続か否かの判別をし（ステップＳ５４）、通信業者サーバ４からの接続でなければ、その接続先に応じた処理をする（ステップＳ５５）。
通信業者サーバからの接続の場合には、さらに顧客別機器利用料金の要求があるか否かの判別を行い（ステップＳ５６）、要求があれば顧客別マスタファイルにアクセスし、顧客別機器利用料金のデータを通信業者サーバ４に送信する（ステップＳ５７）。そして回線をしゃ断する（ステップＳ５８）。
【００４４】
図１８はＤＴＣ（店舗コントローラ）の制御動作を示すフローチャートである。ＤＴＣでは回線接続がされたか否かの判別をし（ステップＳ６１）、回線接続がされた場合にはデータが受信されたか否かの判別をする（ステップＳ６２）。そしてデータを受信したときには、そのデータが機器番号およびパスワードであるか否かの判別をする（ステップＳ６３）。受信したデータが機器番号およびパスワードでない場合には、その受信したデータに応じた他の処理を実行する（ステップＳ６４）。
【００４５】
受信したデータが機器番号およびパスワードの場合には、機器番号（機械ＩＤ）をインデックスとして、機器データ送受信用インターフェース５１経由で、店舗内の該当機器に接続をする（ステップＳ６５）。そして当該機器に受信したパスワードを送信する（ステップＳ６６）。
当該機器では、顧客により操作部２０（または３０）の操作がされ、その操作データがデータ送受信用インターフェース４７から通信回線４８および機器データ送受信用インターフェース５１を介して受信されたか否かを判別する（ステップＳ６７）。
【００４６】
データを受信した場合は、そのデータが中止レスポンスか否かの判別をする（ステップＳ６８）。中止レスポンスでない場合は、その受信データを運転時間としてテクノセンター３へ送信する（ステップＳ６９）。
一方、データが中止レスポンスの場合は、テクノセンターへ中止レスポンスを送信する（ステップＳ７０）。そしてそのまま当該機器との接続を開放する（ステップＳ７１）。
【００４７】
図１９は店舗に備えられたランドリー機器、たとえば乾燥機の制御動作を示すフローチャートである。乾燥機は、ＤＴＣからの接続の有無を判別し（ステップＳ８１）、接続があった場合にはパスワードを受信するのを待つ（ステップＳ８２）。そしてパスワードを受信すると、運転可能ランプ２１を点滅させる（ステップＳ８３）。と同時にパスワード入力画面（図１１における表示１）を表示部２２に表示する（ステップＳ８４）。この表示に応答して、顧客はパスワードを入力するから、乾燥機の制御部４１はパスワードが入力されたか否かの判別をする（ステップＳ８５）。パスワードが入力されると、その入力されたパスワードがステップＳ８２で受信したパスワードと一致するか否かの判別をする（ステップＳ８６）。パスワードが一致した場合には、運転時間入力画面（図１１の表示２）を表示部２２に表示して（ステップＳ８７）、運転時間の入力があるか否かの判別をする（ステップＳ８８）。
【００４８】
運転が時間が入力されると、機器の運転を開始し（ステップＳ８９）、ＤＴＣへ運転時間を送信する（ステップＳ９０）。また運転残り時間（図１１の表示３）を表示部２２に表示して、運転可能ランプ２１を消灯する（ステップＳ９１）。
ステップＳ８５で、数値キー２６によるパスワード入力がなく、その代わりに中止キー２５が押されて中止キー入力があった場合（ステップＳ９２）、または、ステップＳ８８で運転時間の入力がされずに、代わりに中止キー２５からの入力があった場合（ステップＳ９３）には、運転中止（図１１の表示４）を表示部３２に表示し、運転可能ランプ２１を消灯する（ステップＳ９５）。そしてＤＴＣへ中止レスポンスを送信する（ステップＳ９５）。
【００４９】
図２０は通信業者サーバ４の制御動作を示すフローチャートである。通信業者サーバ４では、たとえば毎月２０日に月次処理を行う旨のプログラムが組まれており、月次処理を行うか否かの判別をする（ステップＳ１０１）。月次処理を行わない場合には、他の処理を実行する（ステップＳ１０２）。
毎月２０日になり、月次処理を行う旨を判別すると、まずテクノセンター３に接続をする（ステップＳ１０３）。そして携帯電話１０（携帯情報端末）の通信料が発生した顧客に限定して、顧客別の機器利用料金を要求する（ステップＳ１０４）。この要求に応答してテクノセンター３がデータを送信するから、そのデータを受信するのを待つ（ステップＳ１０５）。データを受信すると、回線を切断し、そのデータによって顧客別マスタファイルの機器利用料金エリアを更新する（ステップＳ１０６）。そして顧客別に請求書を発行する（ステップＳ１０７）。この請求書は、たとえば「２０００年１月１１日〜２月１０日のご利用状況、通信料：２５００円、ランドリー機器利用料金：５０００円」といったものである。
【００５０】
次いで通信業者契約銀行メインフレーム５に回線を接続し（ステップＳ１０８）、顧客別マスタファイルの利用料金および機器利用料金をメインフレーム５に送信する（ステップＳ１０９）。
図２１は、通信業者契約銀行メインフレーム５の制御動作を示すフローチャートである。銀行メインフレーム５では、たとえば毎月２８日に月次処理をする旨のプログラムが格納されており、このプログラムに基づいて月次処理を行うか否かの判別をする（ステップＳ１１１）。月次処理を行う場合には、集金を行う（ステップＳ１１２）。集金では、顧客別マスタファイルを参照し、通信料金と機器利用料金とを、顧客別銀行口座から引き落とす。
【００５１】
また入金を行う（ステップＳ１１３）。入金では、顧客別銀行口座からの集金分のうち、通信料金を通信業者銀行口座へ一括入金する。
さらに、入金を行う（ステップＳ１１４）。この入金では、顧客別銀行口座からの集金分のうち、機器利用料金をオーナ別銀行口座へ一括入金する。
さらに顧客別集金状況を通信業者サーバ４に送信する（ステップＳ１１５）。
ステップＳ１１１において、月次処理をしない場合には、通信業者サーバ４からの接続の有無を判別する（ステップＳ１１６）。通信業者サーバ４からの接続がない場合には、他の処理を行う（ステップＳ１１７）。
【００５２】
通信業者サーバ４からの接続があった場合には、顧客別の通信料金と機器利用料金とを取得し（ステップＳ１１８）、データの取得を完了させる（ステップＳ１１９）。そして顧客別マスタファイルの通信料金と機器利用料金とを取得データで更新する（ステップＳ１２０）。
図２２は、この発明の他の実施形態に係るランドリーシステムの一部構成を示すブロック図である。この実施形態に係るランドリーシステムは、図１および図２を参照して説明したランドリーシステムと比較して、以下の構成が相違する。
【００５３】
まず、ランドリー（店舗）１０１には複数のランドリー機器（洗濯機や乾燥機）が備えられているが、これらが接続されたＤＴＣ（店舗コントローラ）は設けられていない。
次に、携帯電話（携帯情報端末）１００は、通常の携帯電話の機能に加えて、所定の小電力近距離無線通信ユニット１００ａを有するものを使用する。所定の小電力近距離無線通信ユニット１００ａとしては、たとえば「Bluetooth （商標）」等を用いることができる。
【００５４】
このランドリーシステムの他の構成、すなわち通信業者回線制御装置２を用いること、テクノセンター３が存在すること、通信業者サーバ４、通信業者契約銀行メインフレーム５を利用すること等は、図１および図２を参照して説明したランドリーシステムと同じである。
図２３は、この実施形態に係るランドリーシステムで使用される携帯情報端末の一例である携帯電話１００の回路構成を示すブロック図である。携帯電話１００には、制御部（マイコン）６１と、制御部６１に接続されたメモリ６２と、制御部６１に接続された操作部６３とが備えられている。操作部６３にはＬＣＤ等で構成された表示器１１およびキーマトリクス６５が備えられている。さらに制御部６１には無線電話用として、無線データ送受信用インターフェース６６が接続されるとともに、Bluetooth 用としての無線データ送受信用インターフェース１００ａが接続されている。
【００５５】
図２４は、ランドリーに備えられた各ランドリー機器（乾燥機および洗濯機）の回路構成を示すブロック図である。乾燥機および洗濯機の基本的な回路構成は、図１４を参照して説明した構成と同様である。すなわち、乾燥機および洗濯機には、それぞれ、制御部（マイコン）４１および制御部４１に接続されたメモリ４２が備えられている。またランドリー機器の運転状態を検知するための各種のセンサ４３（または４４）が設けられていて、これらは制御部４１に接続されている。さらに制御部４１には負荷駆動回路４５（または４６）が接続されていて、制御部４１はこの負荷駆動回路４５（または４６）の動作を制御する。
【００５６】
このランドリー機器の回路構成上の特徴は、制御部４１にBluetooth のための無線データ送受信用のインターフェース７０が接続されていることである。また、制御部４１には表示部８０が接続されている。表示部８０には機器選択ランプ８１および７セグメントまたはＬＥＤ等で構成された表示器８２が含まれている。しかし、このランドリー機器には、ランドリー機器を操作するための操作スイッチ類等は備えられていない。
【００５７】
図２５は、上記ランドリー機器の表示部８０の外観正面図の一例を示す。図２５に示すように、表示部８２は、機器選択ランプ８１および表示器８２が配置されていて、必要な表示が行えるようになっている。
次に、この実施形態に係るランドリーシステムにおける顧客の操作手順について説明をする。
顧客は、自己の所有する図２６に示すような携帯電話１００によってランドリーの機器を利用することができる。携帯電話１００には、ディスプレイ１１、メニューキー１２、決定キー１３、カーソルキー１４、数値キー１５が備えられている。さらにBluetooth （小電力近距離無線通信ユニット）１００ａが、たとえばＲＳ２３２Ｃ等のコネクタにより結合されている。もちろん小電力近距離無線通信ユニット１００ａが携帯電話本体内に内蔵された構成であってもよい。
【００５８】
携帯電話１００のディスプレイ１１の表示が図２６に示す基本画面のときに、メニューキー１２を操作することにより、ディスプレイ１１の表示はモバイルメニュー画面になる。モバイルメニュー画面は、図４で説明した画面である。モバイルメニュー画面からランドリーを選択し、ランドリーのモバイルメニュー画面を表示させて、顧客のパスワードを入力し、ランドリーの利用を選択し、ランドリーの店番号を入力する操作を行うが、これらの操作は、図４〜７を参照して説明した操作と全く同じであるから、ここでの説明については省略する。
【００５９】
店番号が入力され、決定キー１３が押されると、表示画面は図２７に示す、利用するランドリー機器番号の入力画面となる。
ランドリーに設置されている各ランドリー機器には、個別に番号が与えられている。そこで顧客は使用したいランドリー機器の番号を入力する。たとえば乾燥機を使用したいときに、その乾燥機番号である機器番号「１０」を数値キー１５により入力する。そして決定キー１３を押すと次画面へと進む。
【００６０】
携帯電話１００によって上述のランドリー機器番号を入力すると、その番号のランドリー機器が運転可能ならば、ランドリー機器の表示部８０の機器選択ランプ８１が点滅をする。このランプ８１の点滅により、顧客は選択したランドリー機器が使用可能状態になったことを認識する。
次いで顧客は、携帯電話１００のディスプレイ１１に図２８の画面が表示されるから、数値キー１５により運転時間を入力する。たとえば「１２３」分を入力する。そして決定キー１３を押すことにより、選択したランドリー機器の運転が開始される。
【００６１】
一方、選択されたランドリー機器の表示部８０では、表示器８２に「乾燥時間：１２３分」と、携帯電話１００により入力された運転時間が表示される。そして運転が始まると機器選択ランプ８１は消え、表示器８２の乾燥時間は乾燥運転の経過とともに減少して残り時間表示となる。
図２９および３０は、携帯電話（携帯情報端末）１００の制御動作を示すフローチャートである。まずディスプレイ１１に図２６に示す基本画面を表示し（ステップＰ１）、メニューキー１２の入力の有無を判別する（ステップＰ２）。メニューキー１２以外のキー入力があったときにはそのキー入力に応じた処理を行う（ステップＰ３）。
【００６２】
メニューキー１２の入力があると、ディスプレイ１１の表示を図４の「モバイルメニュー」の画面にする（ステップＰ４）。そしてカーソルキー１４でメニューが選択され、決定キー１３の入力があるのを待つ（ステップＰ５）。決定キー１３の入力後、メニューの中の「５．ランドリー」が選択されたか否かの判別がされ（ステップＰ６）、他のメニューが選択された場合にはその選択されたメニューに応じた処理を行う（ステップＰ７）。
【００６３】
「５．ランドリー」が選択されたときには、ディスプレイ１１の表示を「ランドリーのモバイルメニュー」の表示にし（ステップＰ８）、パスワードが入力されるのを待つ（ステップＰ９）。
パスワードが入力されると、無線電話用のインターフェース６６により通信業者回線制御装置２を介してテクノセンター３に接続をし（ステップＰ１０）、たとえばパケット通信により、テクノセンター３にパスワードおよび携帯電話１００の電話番号（顧客ＩＤ）を送信する。テクノセンター３では、既に説明したように、このパスワードおよび携帯電話番号（顧客ＩＤ）とによって、パスワードの正当性を判別して携帯電話１００に返答をする。
【００６４】
携帯電話１００では、テクノセンター３からの受信データが、パスワードが正しくない旨のデータであれば、ディスプレイ１１の表示を図４の表示に変える。つまり処理はステップＰ４へ戻る。
ステップＰ１２で、パスワードが正しいと判別すると、ディスプレイ１１の表示を図６の画面に変える（ステップＰ３）。そしてカーソルキー１４によりメニューが選択され、決定キー１３の入力があるのを待つ（ステップＰ１４）。
【００６５】
決定キー１３の入力があると、「１．ランドリーの利用」が選択されたか否かの判別がされ（ステップＰ１５）、他のメニューが選択された場合には、その選択されたメニューに対応した処理を行う（ステップＰ１６）。
「１．ランドリーの利用」が選択されたときには、ディスプレイ１１の表示を図７に示す「ランドリーの利用」画面にし（ステップＰ１７）、ランドリーの店番号が入力されるのを待つ（ステップＰ１８）。
【００６６】
店番号が入力されると、ディスプレイ１１の画面を図２７の画面にし（ステップＰ１９）、機器番号が入力されるのを待つ（ステップＰ２０）。
機器番号が入力されると、制御部６１はBluetooth 用の無線データ送受信用インターフェース１００ａにより、入力された機器番号に該当する機器と無線接続をして、その機器の運転の可否を、その機器に問い合わせる（ステップＰ２１）。当該機器番号に該当する機器からの返答により、当該機器は運転可能か否かの判別をし（ステップＰ２２）、運転可能でなければ、無線電話用インターフェース６６によってテクノセンター３に接続し、中止レスポンスを送信する（ステップＰ２３）。これにより処理はステップＰ４へ戻る。
【００６７】
当該機器の運転が可能であれば、ディスプレイ１１に図２８の画面を表示する（ステップＰ２４）。そして数値キー１５により運転時間が入力され、決定キー１３の入力があるのを待つ（ステップＰ２５）。次いでBluetooth 用の無線データ送受信用インターフェース１００ａにより、入力された機器番号に該当する機器に無線接続し、入力された運転時間を送信する（ステップＰ２６）。
そして無線接続されている機器から、運転の開始を告げる運転時間を受信するか否かの判別をし（ステップＰ２７）、機器から運転時間を受信せず、運転ができない旨の信号を受信したときには、無線電話用の無線データ送受信用インターフェース６６により通信業者回線制御装置２を介してテクノセンター３に接続をし、テクノセンター３に中止レスポンスを送信する（ステップＰ２８）。
【００６８】
そしてステップＰ４へ処理は戻る。
一方、運転時間を受信した場合に、やはりテクノセンター３に接続をし（ステップＰ２９）、テクノセンター３に今回入力されたパスワード、携帯電話番号（顧客ＩＤ）、店番号、機器番号および受信済の運転時間を送信する（ステップＰ３０）。
図３１は、ランドリー機器としてのたとえば乾燥機の制御動作を示すフローチャートである。
【００６９】
乾燥機では、Bluetooth 用の無線データ送受信用インターフェース７０により接続があるか否かの判別をし（ステップＰ４１）、接続があった場合には機器が運転可能か否かの判別をする（ステップＰ４２）。たとえば既に運転中であるとか、何らかの理由で機器の運転ができない場合には、運転不可レスポンスを携帯電話１００に送信する（ステップＰ４３）。
一方、機器の運転が可能な場合には、その機器の表示部８０に備えられた機器選択ランプ８１を点滅させ（ステップＰ４４）、携帯電話１００に対して運転可能レスポンスを送信する（ステップＰ４５）。次いで携帯電話１００からの運転時間を受信するのを待ち（ステップＰ４６）、その運転時間が機器が運転可能な時間か否かの判別をする（ステップＰ４７）。たとえば運転時間が「９００分」等の異常に長すぎる時間の場合等には、運転不可能と判別し、運転不可レスポンスを携帯電話１００に送信する（ステップＰ４１）。
【００７０】
運転が可能であれば、機器の運転を開始し（ステップＰ４９）、機器選択ランプ８１を消灯し（ステップＰ５１）、表示器８２に運転時間を表示する（ステップＰ５１）。そして運転開始を告げる運転時間を携帯電話１００に送信する（ステップＰ５２）。
なお、表示器８２の表示時間は、残時間表示になるよう、運転時間の経過とともに時間を減算する。
【００７１】
以上のように、この実施形態に係るランドリーシステムでは、ランドリー１０１の各機器に対する操作は、携帯電話１００に備えられたBluetooth 等の所定の小電力近距離無線通信を利用して行われ、その操作情報は携帯電話１００から通信業者回線制御装置２を介してテクノセンター３へ送信されるものである。
なお、テクノセンター３と通信業者サーバ４とのデータの送受信や、通信業者サーバ４と通信業者契約銀行メインフレーム５との間のデータの送受信等は、先に説明した実施形態に係るランドリーシステムと同様である。
【００７２】
以上説明した各実施態様において、テクノセンタ３（ランドリー管理サーバ）と通信業者サーバ４とは同じサーバによって構成されていてもよい。すなわち、ランドリー管理を通信業者サーバ４が行う構成でもよい。
この発明は以上説明した実施形態に限定されるものではなく、請求項記載の範囲内において種々の変更が可能である。
【図面の簡単な説明】
【図１】この発明の一実施形態に係るランドリーシステムの全体構成を示すブロック図である。
【図２】この発明の一実施形態に係るランドリーシステムの全体構成を示すブロック図である。
【図３】携帯情報端末の一例である携帯電話の正面図である。
【図４】ディスプレイの表示画面の具体例である。
【図５】ディスプレイの表示画面の具体例である。
【図６】ディスプレイの表示画面の具体例である。
【図７】ディスプレイの表示画面の具体例である。
【図８】ディスプレイの表示画面の具体例である。
【図９】ディスプレイの表示画面の具体例である。
【図１０】ランドリーに設置されている乾燥機の操作部の構成を示す正面図である。
【図１１】表示部２２の表示態様の変化を示す図である。
【図１２】ランドリーに設置されている乾燥機の操作部の構成を示す正面図である。
【図１３】表示部３２の表示態様の変化を示す図である。
【図１４】ランドリーに備えられたランドリー機器の制御回路構成を示すブロック図およびＤＴＣ（店舗コントローラ）の制御回路構成を示すブロック図である。
【図１５】携帯電話１０の制御動作を示すフローチャートである。
【図１６】テクノセンター３のランドリー管理サーバの制御動作を示すフローチャートである。
【図１７】テクノセンター３のランドリー管理サーバの制御動作を示すフローチャートである。
【図１８】ＤＴＣ（店舗コントローラ）の制御動作を示すフローチャートである。
【図１９】店舗に備えられたランドリー機器の制御動作を示すフローチャートである。
【図２０】通信業者サーバ４の制御動作を示すフローチャートである。
【図２１】通信業者契約銀行メインフレーム５の制御動作を示すフローチャートである。
【図２２】この発明の他の実施形態に係るランドリーシステムの一部構成を示すブロック図である。
【図２３】この実施形態に係るランドリーシステムで使用される携帯情報端末の一例である携帯電話１００の回路構成を示すブロック図である。
【図２４】ランドリーに備えられた各ランドリー機器の回路構成を示すブロック図である。
【図２５】ランドリー機器の表示部８０の外観正面図の一例を示す図である。
【図２６】携帯電話１００の正面図である。
【図２７】携帯電話の表示画面の具体例と、ランドリー機器の表示部の対応関係を示す図である。
【図２８】携帯電話の表示画面の具体例と、ランドリー機器の表示部の対応関係を示す図である。
【図２９】携帯電話１００の制御動作を示すフローチャートである。
【図３０】携帯電話１００の制御動作を示すフローチャートである。
【図３１】ランドリー機器としての乾燥機の制御動作を示すフローチャートである。
【符号の説明】
１    ランドリー（店舗）
２    通信業者回線制御装置
３    テクノセンター（ランドリー管理サーバ）
４    通信業者サーバ
５    通信業者契約銀行メインフレーム
１０，１００    携帯電話
２１，３１    運転可能ランプ（運転可能状態報知手段）
５４    外部通信手段
８１    機器選択ランプ（動作可能状態報知手段）
７０，１００ａ    小電力近距離通信ユニット
【図１】
0003733002.tif 000002
【図２】
0003733002.tif 000003
【図３】
0003733002.tif 000004
【図４】
0003733002.tif 000005
【図５】
0003733002.tif 000006
【図６】
0003733002.tif 000007
【図７】
0003733002.tif 000008
【図８】
0003733002.tif 000009
【図９】
0003733002.tif 000010
【図１０】
0003733002.tif 000011
【図１１】
0003733002.tif 000012
【図１２】
0003733002.tif 000013
【図１３】
0003733002.tif 000014
【図１４】
0003733002.tif 000015
【図１５】
0003733002.tif 000016
【図１６】
0003733002.tif 000017
【図１７】
0003733002.tif 000018
【図１８】
0003733002.tif 000019
【図１９】
0003733002.tif 000020
【図２０】
0003733002.tif 000021
【図２１】
0003733002.tif 000022
【図２２】
0003733002.tif 000023
【図２３】
0003733002.tif 000024
【図２４】
0003733002.tif 000025
【図２５】
0003733002.tif 000026
【図２６】
0003733002.tif 000027
【図２７】
0003733002.tif 000028
【図２８】
0003733002.tif 000029
【図２９】
0003733002.tif 000030
【図３０】
0003733002.tif 000031
【図３１】
0003733002.tif 000032